(57)【要約】  【課題】使用者が運動の最中でもハンズフリーで音楽を聴取でき、使用操作性の向上が図れる録音再生機能付きヘッドフォンを提供する。  【解決手段】ハードフォン１のヘッドアーム２の一端部の外側に、ハードディスク内蔵型の音楽プレーヤー（ハードディスクプレーヤー）１２を着脱自在に取り付ける。ヘッドアーム２の他端部の外側には、ハードディスクプレーヤー１２を遠隔操作するためのリモートコントローラー48を着脱自在に取り付ける。ハードフォン１はアナログ信号ライン用入、出力端子受け部４４、４５を備えると共に、ハードディスクプレーヤー１２に音楽データを取り込むためのメモリースティック用スロット（外部記憶素子装着部）２７、ＵＳＢコード用端子接続受け部２３などを有する。【選択図】図１
2006129061.tif 000002
【特許請求の範囲】
【請求項１】
略逆Ｕ字型に形成されたヘッドアームを備えたヘッドフォンに於いて、該ヘッドアームの一端部の外側に、ハードディスクが内蔵されたオーディオプレーヤーを着脱自在に取り付けたことを特徴とする録音再生機能付きヘッドフォン。
【請求項２】
上記ヘッドアームの他端部の外側に、上記デジタルオーディオプレーヤーを操作するためのリモートコントローラーが着脱自在に取り付けられていることを特徴とする請求項１記載の録音再生機能付きヘッドフォン。
【請求項３】
上記デジタルオーディオプレーヤー又はプレーヤーを取り付けた取付け部に、前記デジタルオーディオプレーヤーに音楽データを入出力するためのアナログ信号ケーブル用端子受け部又はメモリースティック等の半導体メモリー素子用のコネクタ部が設けられていることを特徴とする請求項１又は２記載の録音再生機能付きヘッドフォン。
【請求項４】
上記デジタルオーディオプレーヤーが、ＵＳＢケーブル接続用端子受け部を有することを特徴とする請求項１，２又は３記載の録音再生機能付きヘッドフォン。
【発明の詳細な説明】
【技術分野】
【０００１】
本発明は、録音再生機能付きヘッドフォンに関するものであり、特に、頭部に装着されるヘッドアームの端部にスピーカユニットを有する録音再生機能付きヘッドフォンに関するものである。
【背景技術】
【０００２】
近年、若者の間で音楽プレーヤー（デジタルオーディオプレーヤー）を携帯してヘッドフォンから音楽を聴くことが普及している。この種の音楽プレーヤーの中には、メモリーカードを装着可能に構成したものがあり、メモリーカードに記録されている音楽データを音楽プレーヤーにより読み出し、音楽プレーヤーから接続コードを介してヘッドフォンに伝送することにより、ヘッドフォンを通じて音楽を聴くように構成したものが主流になっている（特許文献１）。
【特許文献１】特開２０００−２０９３６３号公報
【発明の開示】
【発明が解決しようとする課題】
【０００３】
特許文献１記載の上記ヘッドフォンは、音楽プレーヤーとの間に接続コードをつないで使用しなければならないので、接続コードが身体の動作を制約して邪魔になり、自由に身体を動かすことができない。特に、使用者がジョギング等の運動をしながら使用することが困難であるという欠点を有していた。
【０００４】
又、使用者は、音楽プレーヤーをポケットやカバンの中に入れて使用しているが、音楽プレーヤーの再生、停止などの操作を行う際は、その都度、ポケットから音楽プレーヤーを出し入れて操作をしなければならないので、再生、停止などの操作が煩わしい。特に、好きな音楽データを記録する操作も、そのつど、音楽プレーヤーにメモリーカードを出し入れして記録した後に、音楽プレーヤーをヘッドフォンに接続して再生させる必要があるので、非常に面倒であるという問題があった。
【０００５】
そこで、本発明は、使用者が運動している時でも、ハンズフリーで音楽を聴取でき、且つ、使用操作性を向上させるために解決すべき技術的課題が生じてくるのであり、本発明は該課題を解決することを目的とする。
【課題を解決するための手段】
【０００６】
本発明は上記目的を達成するものであり、請求項１記載の発明は、略逆Ｕ字型に形成されたヘッドアームを備えたヘッドフォンに於いて、該ヘッドアームの一端部の外側に、ハードディスクが内蔵されたデジタルオーディオプレーヤーを着脱自在に取り付けた録音再生機能付きヘッドフォンを提供する。
【０００７】
この構成によれば、前記ヘッドフォンに取り付けたデジタルオーディオプレーヤー（音楽プレーヤー）にハードディスクが内蔵されているので、該大容量のハードディスクに数千曲以上の音楽データを記録でき、このオーディオデータはデジタルオーディオプレーヤーから再生して随時聴ける。この場合、使用者は、デジタルオーディオプレーヤーをヘッドアームから取り外す必要がなく、デジタルオーディオプレーヤーを取り付けたままで再生音楽を聴取できる。また、デジタルオーディオプレーヤーを前記ヘッドフォンから取り外した状態で、再生音楽を聴取することもできる。
【０００８】
請求項２記載の発明は、上記ヘッドアームの他端部の外側に、上記デジタルオーディオプレーヤーを操作するためのリモートコントローラーが着脱自在に取り付けられている請求項１記載の録音再生機能付きヘッドフォンを提供する。
【０００９】
この構成によれば、上記ヘッドアームの他端部にリモートコントローラーが着脱自在に取り付けられているので、リモートコントローラーをヘッドアームから取り外して、デジタルオーディオプレーヤーの再生、停止などの操作を手元で容易に行える。操作後、例えばデジタルオーディオプレーヤーの再生中に、リモートコントローラーをヘッドアームに取り付けて、ハンズフリーで音楽を聴ける。
【００１０】
請求項３記載の発明は、上記デジタルオーディオプレーヤー又はプレーヤーを取り付けた取付け部に、前記デジタルオーディオプレーヤーに音楽データを入出力するためのアナログ信号ケーブル用端子受け部又はメモリースティック等の半導体メモリー素子用のコネクタ部が設けられている請求項１又は２記載の録音再生機能付きヘッドフォンを提供する。
【００１１】
この構成によれば、上記アナログ信号ケーブル用端子受け部にアナログ信号ケーブルを接続することにより、通常のアナログ機種用のヘッドフォンとしても使用される。又、音楽データが記録されたメモリースティック、メモリーカード等の半導体メモリー素子をコネクタ部、例えばスロットに装着することにより、メモリースティック等に記録された音楽データをデジタルオーディオプレーヤーにより再生可能となる。
【００１２】
請求項４記載の発明は、上記デジタルオーディオプレーヤーが、ＵＳＢケーブル接続用端子受け部を有する請求項１，２又は３記載の録音再生機能付きヘッドフォンを提供する。
【００１３】
この構成によれば、ＵＳＢケーブル接続用端子受け部にＵＳＢケーブルを接続することにより、インターネットに接続通信可能なパソコン等の情報通信機器にダウンロードされた音楽データをデジタルオーディオプレーヤーに取り込むことができるようになる。  
【発明の効果】
【００１４】
請求項１記載の発明は、前記ヘッドフォンにデジタルオーディオプレーヤーを取り付けたまま、コードレスで再生音楽を聴取できるので、使用者はデジタルオーディオプレーヤーを手に持ったり、或いは、ポケットやカバンに入れる必要がない。例えば、ジョギングなどの運動中でも音楽を聴取できるので、ヘッドフォンの使い勝手が著しく向上する。もちろん、ヘッドフォンからデジタルオーディオプレーヤーを取り外した状態で、ヘッドフォンなしでデジタルオーディオプレーヤーからの再生音楽を直接聞くこともできる。
【００１５】
請求項２記載の発明は、デジタルオーディオプレーヤーをリモコン操作できるので、請求項１記載の発明の効果に加えて、デジタルオーディオプレーヤーの再生又は停止などの操作を行うたびに、デジタルオーディオプレーヤーをヘッドアームから着脱する必要がない。しかも、リモコン操作後に、リモートコントローラーはヘッドアームの他端部に収納でき、ポケットやカバンに入れる必要がない。又、ヘッドアームの左右両端部にデジタルオーディオプレーヤー、リモートコントローラーを取り付けるので、ヘッドアームの左右両端部の重量バランスが釣り合う効果を有する。更に、リモートコントローラーをヘッドアームの他端部に収納することで、リモートコントローラーを紛失させる恐れがない。
【００１６】
請求項３記載の発明は、アナログ機種用のヘッドフォンとして使用でき、且つ、メモリースティックなどに記録された音楽データを再生できるので、請求項１又は２記載の発明の効果に加えて、例えば、ＣＤプレーヤー、ＭＤプレーヤー、カッセトプレーヤー等のオーディオ機器用のヘッドフォンとして幅広く使用できると共に、再生しうる音楽データの取り込みが多彩になって使い勝手が一層向上する、という格別の効果がある。
【００１７】
請求項４記載の発明は、パソコン等にダウンロードされた音楽データ、例えば音楽配信サービスサイトから配信された音楽データをデジタルオーディオプレーヤーに即時に取り込むことができるので、請求項１，２又は３記載の発明の効果に加えて、デジタルオーディオプレーヤーによって再生できる音楽データが飛躍的に増大して、例えば、最新の音楽をいち早く記録再生して楽しむことができ、もって、上記ヘッドフォンの商品価値をより一層高めることができる。
【発明を実施するための最良の形態】
【００１８】
本発明は、略逆Ｕ字型に形成されたヘッドアームを備えたヘッドフォンに於いて、該ヘッドアームの一端部の外側に、ハードディスクが内蔵されたデジタルオーディオプレーヤーを着脱自在に取り付けたことにより、使用者が運動している時でも、ハンズフリーで音楽を聴取でき、使用操作性を向上させるという目的を実現した。
【実施例】
【００１９】
以下、本発明の一実施の形態を図１乃至図１０に従って説明する。図１に於いて、１は、録音再生機能付きのヘッドフォン（以下、ハードフォンともいう。）１であり、ハードフォン１は、頭部に装着される湾曲可能な略逆Ｕ字状のヘッドアーム２を有する。該ヘッドアーム２の左端部、右端部には各々、左側スピーカユニット３、右側スピーカユニット４が設けられ、各スピーカユニット３，４の内側にはそれぞれイヤーパッド５，６が設けられている。尚、左側スピーカユニット３と右側スピーカユニット４とは、図示しない導線を介して電気的に接続されている。
【００２０】
左側スピーカユニット４は、振動板、増幅器、Ｄ／Ａ変換器等が内蔵されたスピーカ部８と、該スピーカ部８の外側部に一体に成形された樹脂製の保持部９とから成る。該保持部９の外面下部には、載置面を有する樹脂製の取付け部１０が一体に連設され、該取付け部１０の載置面の中央部には、ＵＳＢ接続用凸部１１が設けられている。
【００２１】
１２は、ハードディスクが内蔵された名刺サイズのＭＰ３対応型デジタルオーディオプレーヤー（以下、ハードディスクプレーヤーともいう。）であり、デジタルオーディオプレーヤー１２は操作部を有し、図示しない導線を介して前記スピーカ部８に電気的に接続されていると共に、図示しないリモコン信号受信部が装備されている。
【００２２】
又、該デジタルオーディオプレーヤー１２は、下面中央部にＵＳＢ受け用凹部（コネクタ部）１３を有し、前記取付け部１０の載置上面に着脱自在に設置されている。より具体的には、ハードディスクプレーヤー１２の凹部１３を取付け部１０のＵＳＢ接続用凸部１１に嵌合させることにより、取付け部１０上にハードディスクプレーヤー１２が着脱自在に取り付けられる。
【００２３】
前記凹部１３が前記凸部１６に嵌合した状態において、ハードディスクプレーヤー１２は取付け部１０の所定の取付け箇所に自動的に位置決め固定される。この場合、ハードディスクプレーヤー１２の内側上端部に設けたＬ形段差面１４が、取付け部１０の外側上端部に突設したバネ性の押さえ片部１５により適度な弾性力で押圧固定される。これにより、取付け部１０に対するハードディスクプレーヤー１２の固定力が適度に増大して、ハードディスクプレーヤー１２の取付け状態が常に良好に固定保持されると共に、ハードディスクプレーヤー１２の取付け取外しをワンタッチ操作で行える。
【００２４】
ここで、ハードディスクプレーヤー１２に内蔵されたハードディスクのメモリー容量は、例えば２００ＧＢ乃至４００ＧＢであり、約２，０００曲乃至１０，０００曲の音楽データを記録・格納することができる。又、ハードディスクプレーヤー１２の内部又は外部には充電式のバッテリー１６が着脱自在に装着され（図２参照）、バッテリー１６をフル充電すれば、ハードディスクプレーヤー１２を８時間乃至１２時間連続して使用できる。
【００２５】
図３に示すように、ハードディスクプレーヤー１２の外側正面にはモニター部１８が設けられ、このモニター部１８により、再生モード／一時停止モード／記録モード等の別、リスト曲名、歌手名等を容易に視認しながら手軽に操作できる。さらに、ハードディスクプレーヤー１２の上面中央部には、小型ヘッドフォン用コード１９又はイヤーホンを接続するための端子受け部２０が凹設されている。この端子受け部２０に小型ヘッドフォン用コード１９等を接続することにより、ハードディスクプレーヤー１２を通常の音楽プレーヤーとして利用できる。
【００２６】
一方、前記ハードディスクプレーヤー１２を支持する取付け部１０の下面には、アナログ信号入力用ケーブル２１，アナログ信号出力用ケーブル２２を接続するための入力端子受け部２３、出力端子受け部２４が並設されている。この入力端子受け部２３にアナログ信号入力用ケーブル２１を接続することにより、ハードフォン１を通常の各種オーディオ機器用ヘッドフォン、例えば、ＣＤプレーヤー用、ＭＤプレーヤー用又はカッセトプレーヤー用のヘッドフォンとして使用できる。
【００２７】
又、前記出力端子受け部２４にアナログ信号出力用ケーブル２２を接続することにより、ハードディスクプレーヤー１２に収録された音楽データを外部の音響機器に再生音源データとして配布できる。例えば、前記アナログ信号出力用ケーブル２２で前記ハードディスクプレーヤー１２と外部のカーステレオ又はノーマルヘッドフォンとを相互に接続することによって、前記音楽データをハードディスクプレーヤー１２とカーステレオ等とで共有化することができる。
【００２８】
図４に示すように、前記取付け部１０の下面には、フラッシュメモリー（半導体メモリー）であるメモリースティック２６を装着するためのスロット２７と、ＵＳＢケーブル（図略）を接続するための端子受け部２９とが並設されている。斯くして、音楽データが格納されたメモリースティック２６をスロット２７に装着することにより、該音楽データをハードディスクプレーヤー１２で再生して聴くことができる。又、前記端子受け部２９にＵＳＢケーブルを接続することにより、パソコンにダウンロードされた音楽データ（音楽ファイル）をハードディスクプレーヤー１２で再生して聴くことができる。
【００２９】
前記ハードディスクプレーヤー１２及び取付け部１０の外側には、キャップ状に形成された金属製又は樹脂製の保護カバー３１が配設され、保護カバー３１は断面Ｃ字形に形成されている。この保護カバー３１の外周部は、保持部９の外周部（例えばリング状溝部）に着脱自在に固定して取り付けられ、使用者は保護カバー３１の取付け取外しをワンタッチ操作で行える。又、保護カバー３１は、ハードディスクプレーヤー１２及び取付け部１０の全外周を液密に被冠しており、外部から塵埃や水等が侵入することを防止する。尚、保護カバー３１を装着しないでハードディスクプレーヤー１２を使用することがある。
【００３０】
保護カバー３１の上縁部、下縁部には夫々、図２及び図４に示すように、開口部３２、開口部３３が形成されていると共に、各開口部３２，３３にはそれぞれ小蓋部３４、３５が開閉自在に取り付けられている。小蓋部３４を開けることにより、前記バッテリー１６の出し入れを行うことができ、又、小蓋部３５を開けることにより、前記メモリースティック用スロット２７、ＵＳＢケーブル用端子受け部２９へのメモリースティック２６、ＵＳＢケーブルの挿抜を行うことができる。尚、保護カバー３１の中央部にはモニター用の開口部３６が形成されている。
【００３１】
図１に示すように、右側スピーカユニット４は、振動板等が内蔵されたスピーカ部３７と、該スピーカ部３７の外側部に一体に成形された樹脂製の保持部４０とを有し、該保持部４０の外側面には、断面Ｌ字形の樹脂製の収納部４１が一体に連設されている。前記保持部４０の下面部には、図５に示すように、アナログ信号入力用ケーブル、アナログ信号出力用ケーブルを接続するための入力端子受け部４４、出力端子受け部４５が並設されている。
【００３２】
入力端子受け部４４にアナログ信号入力用ケーブルを差し込むことにより、ハードフォン１とテレビ、ラジオ等の外部のアナログ機種とを相互に接続できるため、従来のアナログ機種用のヘッドフォンとして使用できる。又、本発明は、出力端子受け部４５にアナログ信号出力用ケーブルを差し込むことにより、ハードディスクプレーヤーのと別のヘッドフォンを接続できるため、ハードディスクに蓄積された音楽データを別のヘッドフォンによって共有化して聴取できる。更に、前記アナログ信号出力用ケーブルでハードフォン１とカーステレオ等の音響機器とを接続することにより、該カーステレオ等の音響機器用のヘッドフォンとしても使用できる。
【００３３】
前述の保持部４０と収納部４１との間には、上方開口面を有する空間部４７が形成され、この空間部４７内には、図６に示すように、その上方からリモートコントローラー４８が着脱自在に収納されている。このリモートコントローラー４８によりハードディスクプレーヤー１２の遠隔操作を容易に行える。
【００３４】
前記リモートコントローラー４８の外側には、キャップ状に形成された金属製又は樹脂製の保護カバー４９が配設され、保護カバー４９は断面Ｃ字形に形成されている。この保護カバー４９の外周部は、保持部４０の外周部に着脱自在に固定して取り付けられ、使用者は、保護カバー４９の取付け取外しをワンタッチ操作で行うことができる。保護カバー４９は、リモートコントローラー４８の全外周を被冠しており、外部からの塵埃や水等の侵入を防止する。
【００３５】
前記保護カバー４９の上縁部、下縁部、前縁部及び中央部には夫々、開口部５０、開口部５１、開口部５２及び操作モニター用開口部５３が形成されていると共に、これら開口部５０，５１にはそれぞれ、小蓋部５４，５５が開閉自在に取り付けられている。前記小蓋部５４を開けることにより、リモートコントローラー４８を収納空間部４７に容易に出し入れすることができ、又、小蓋部５５を開けることにより、前述の入力端子受け部４４、出力端子受け部４５にアナログ信号入力用ケーブル、アナログ信号出力用ケーブルを挿抜することができる。
【００３６】
上記ワンタッチ装着式の保護カバー３１，４９については、好みのデザインが装飾されたものに取り替えることができる。例えば、保護カバー４９としては、英語文字等が表示されたもの（図８（ａ））、暗色又は明色系の色彩を有するもの（図８（ｂ））、迷彩柄が描かれたもの（図８（ｃ））又はクモの巣模様を有するもの（図８（ｄ））等を任意に選択使用できる。
【００３７】
上記構成のハードフォン１は、右側スピーカユニット７の外側にリモートコントローラー４８を着脱自在に取り付けたので、リモートコントローラー４８により前記ハードディスクプレーヤー１２を遠隔操作して再生、記録等のモード切替えを容易に行える。
【００３８】
例えば、前記ハードディスクに記録された音楽データを再生したい時には、リモートコントローラー４８をスピーカユニット７外側から取り外して、ハードディスクプレーヤー１２を遠隔操作して再生モードに入力設定することができる。この場合、使用者は、ハードディスクプレーヤー１２を操作する度に、ハードディスクプレーヤー１２を右側スピーカユニット７から取り外す必要がなく、容易迅速に操作しうる。
【００３９】
ハードディスクプレーヤー１２を再生モードに操作設定した後は、リモートコントローラー４８を右側スピーカユニット７の外側に装着して、前記ハードディスクに記録された音楽データを再生出力できる。従って、利用者は、ハードディスクプレーヤー１２を手に持ったり、或いは、ハードディスクプレーヤー１２をポケットに入れる必要がない。従って、利用者は、ジョギング等の運動を行っている最中、又は、自動車や船に乗っている最中でも、ハードディスクプレーヤー１２から再生される音楽を自由に楽しむことができるので、ハードフォン１の使い勝手が著しく向上する。
【００４０】
勿論、ハードフォン１よりハードディスクプレーヤー１２を取り外して、ハードフォン１なしでハードディスクプレーヤー１２からの再生音楽を直接楽しむこともできる。
【００４１】
本発明は上記実施例に限定されない。例えば、特に激しい運動を行いながらハードフォン１を使用できるようにすべく、ハードディスクプレーヤー１２の取付強度を高めたい場合は、図９及び図１０に示すネジ止め構造を採択することもできる。即ち、取付け部１０の外面に左右一対のネジ孔５９，５９を刻設すると共に、ハードディスクプレーヤー１２側面の左右一対の取付片６０，６０にネジ孔５９，５９と対応する通し孔６１，６１を形成する。そして、取付ネジ６２，６２を通し孔６１，６１に通してネジ孔５９，５９に螺合締結させることにより、取付け部１０にハードディスクプレーヤー１２を着脱可能に取り付けることもできる。
【００４２】
尚、６３，６４はハードディスクプレーヤー１２とスピーカ部８とを接続する導線、６５，６６はそれぞれ、ハードディスクプレーヤー１２に接続されるＵＳＢ接続コード、光ケーブルである。前記ＵＳＢ接続コード６５及び光ケーブル６６により、パソコンに収録された音楽データを記録、保存することができる。
【００４３】
尚、本発明は、本発明の精神を逸脱しない限り種々の改変を為すことができ、そして、本発明が該改変されたものに及ぶことは当然である。
【図面の簡単な説明】
【００４４】
【図１】本発明に係るハードフォンの一実施例を示す部分分解正面断面図。
【図２】一実施例に係るハードフォンのバッテリーを拡大して示す要部斜視図。
【図３】図１のハードフォンを左前方からみた斜視図。
【図４】一実施例に係るハードフォンのスロット部分を拡大して示す要部斜視図。
【図５】一実施例に係るハードフォンの端子受け部を拡大して示す要部斜視図。
【図６】一実施例に係るハードフォンのリモートコントローラーを拡大して示す要部斜視図。
【図７】図１のハードフォンを右前方からみた斜視図。
【図８】一実施例に係るハードフォンの保護カバーを拡大して示し、（ａ）は英語文字等が表示された保護カバーの要部斜視図、（ｂ）は明色系の色彩を有する保護カバーの要部斜視図、（ｃ）はクモの巣模様を有する保護カバーの要部斜視図、（ｄ）は濃淡模様が描かれた保護カバーの要部斜視図。
【図９】本発明に係るハードフォンにおけるハードディスクプレーヤーのネジ止め構造を示す斜視図。
【図１０】図９のハードフォンの組立て状態を示す断面図。
【符号の説明】
【００４５】
１          ハードフォン（ヘッドフォン）
２          ヘッドアーム
３          左側スピーカユニット
４          右側スピーカユニット
５，６      イヤーパッド
８          スピーカ部
９          保持部
１０        取付け部
１１        ＵＳＢ接続用凸部
１２        ハードディスクプレーヤー（デジタルオーディオプレーヤー）
１３        ＵＳＢ受け用凹部（コネクタ部）
１４        段差面
１５        押さえ片部
１６        バッテリー
１９        小型ヘッドフォン用コード
２０        端子受け部
２３        入力端子受け部
２４        出力端子受け部
２６        メモリースティック（半導体メモリー素子）
２７        スロット（外部記憶素子装着部）
２９        端子受け部
３１        保護カバー
３７        スピーカ部
４０        保持部
４１        収納部
４４        入力端子受け部
４５        出力端子受け部
４７        空間部
４８        リモートコントローラー（遠隔操作器）
４９         保護カバー
５７        センサー部
【図１】
2006129061.tif 000003
【図２】
2006129061.tif 000004
【図３】
2006129061.tif 000005
【図４】
2006129061.tif 000006
【図５】
2006129061.tif 000007
【図６】
2006129061.tif 000008
【図７】
2006129061.tif 000009
【図８】
2006129061.tif 000010
【図９】
2006129061.tif 000011
【図１０】
2006129061.tif 000012